(57)【特許請求の範囲】
【請求項１】
下面が全面に亘り平坦な基板（１）の上面に、縦横に延びる多数の縦凹溝（２）および横凹溝（３）と、それらの縦、横凹溝（２，３）により囲まれる多数のリブ（４）を有して上面格子状に形成される、全体が合成樹脂の低発泡材よりなる断熱型枠パネル（Ｐｆ）を仮設型枠（Ｆｃ）の床スラブ成形部位に組み付ける工程と、
上部鉄筋（１３）の一部を削除することで形成されて上面を各々開放した複数の鉄筋削除部（１０）を隔設した鉄筋組立体（Ｒａ）を、前記縦凹溝（２）および横凹溝（３）内にそれぞれ配置し、その際に、それら鉄筋組立体（Ｒａ）は、その鉄筋削除部（１０）を縦、横凹溝（２，３）の交差部（５）にそれぞれ配置させて、それらの鉄筋組立体（Ｒａ）を前記交差部（５）で略同じ平面上で交差させるようにした工程と、
前記縦凹溝（２）および横凹溝（３）内にそれぞれ配置した鉄筋組立体（Ｒａ）の上面にスラブ鉄筋（Ｒｓ）を一体に緊結する工程と、
前記断熱型枠パネル（Ｐｆ）上にコンクリート（Ｃｏ）を直接打設し、該型枠パネル（Ｐｆ）を鉄筋組立体（Ｒａ）及びスラブ鉄筋（Ｒｓ）と共にコンクリート（Ｃｏ）と一体化して、該型枠パネル（Ｐｆ）の前記基板（１）で該コンクリート（Ｃｏ）の下面全面が覆われた断熱材一体型の床スラブ（Ｓｆ）を成形する工程と
を含むことを特徴とする、建物における床スラブの施工方法。
【請求項２】
前記鉄筋組立体（Ｒａ）はトラス構造に形成され、その鉄筋削除部（１０）は、該鉄筋組立体（Ｒａ）の上部鉄筋（１３）の一部を削除することで上面開放のＶ字状に形成されていることを特徴とする、前記請求項１記載の建物における床スラブの施工方法。
【請求項３】
前記鉄筋組立体（Ｒａ）は、建築現場以外の工場等で予め製作されることを特徴とする、前記請求項１記載の建物における床スラブの施工方法。
【請求項４】
前記交差部（５）の底面には、前記縦、横凹溝（２，３）内にその底面から浮かせて縦横に敷き込まれる前記鉄筋組立体（Ｒａ）を該交差部（５）で受けるためのボス（６）を突設し、このボス（６）上に該鉄筋組立体（Ｒａ）の下部鉄筋（１４）を載置させるようにしたことを特徴とする、前記請求項１〜３の何れかに記載の建物における床スラブの施工方法。
【請求項５】
全体が合成樹脂の低発泡材よりなり、下面が全面に亘り平坦な基板（１）の上面に縦横に延びる多数の縦凹溝（２）および横凹溝（３）と、それらの縦、横凹溝（２，３）により囲まれる多数のリブ（４）を有して上面格子状に形成される断熱型枠パネル（Ｐｆ）と、
上部鉄筋（１３）の一部を削除することで形成されて上面を各々開放した複数の鉄筋削除部（１０）を所定の間隔をおいて有しており、それらの鉄筋削除部（１０）が、前記断熱型枠パネル（Ｐｆ）の、縦、横凹溝（２，３）の交差部（５）に位置するようにして、該縦、横凹溝（２，３）内に、略一平面をなすように交差配置される、複数の鉄筋組立体（Ｒａ）と、
前記縦凹溝（２）および横凹溝（３）内にそれぞれ配置した鉄筋組立体（Ｒａ）の上面に一体に緊結されたスラブ鉄筋（Ｒｓ）と、
前記断熱型枠パネル（Ｐｆ）上に直接打設され、該型枠パネル（Ｐｆ）、スラブ鉄筋（Ｒｓ）および鉄筋組立体（Ｒａ）と一体化して断熱材一体型の床スラブ（Ｓｆ）を成形するコンクリート（Ｃｏ）とを備え、
そのコンクリート（Ｃｏ）の下面全面が前記断熱型枠パネル（Ｐｆ）の前記基板（１）で覆われたことを特徴とする、建物における床スラブ構造。
【発明の詳細な説明】
【０００１】
【発明の属する技術分野】
本発明は、建物のコンクリート躯体の一部を形成する、床スラブの施工方法およびその床スラブ構造に関するものである。
【０００２】
【従来の技術】
鉄筋コンクリート建物等において、柱、梁、中間壁のない大スパンの居住空間を構築するために、コンクリート躯体のコンクリート床スラブとして、従来より「ワッフルスラブ」を使用することが知られている。
【０００３】
【発明が解決しようとする課題】
ところで、前記「ワッフルスラブ」は、小梁となる多数のリブを備えて格子状に形成されており、大梁と小梁とを備えた通常の床スラブに比べて居住空間の有効階高を高くとれる利点を有している反面、この「ワッフルスラブ」の構築に当たっては、特殊構造の仮設型枠を必要とするため、その仮設型枠の施工が面倒であるばかりでなく、配筋に際して、鉄筋の交差部が多いため、その配筋構造が複雑となり、その作業に手間取り、さらに、複雑な構造の仮設型枠は、コンクリートの打設によるコンクリート躯体の完成後には解体されるので、その解体作業が面倒であり、また、型枠はその後に建物の機能部材として使用されることがなく、全体として、大幅なコスト高を招くという問題がある。
【０００４】
そこで、本発明は、「ワッフルスラブ」の利点を生かしつつ、型枠、配筋の施工を大幅に簡素化するとともに床スラブ用の型枠パネルをそのまま床スラブの断熱、遮音パネルとして使用できるようにして建築コストの大幅な低減化を図るようにした、新規な建物における床スラブの施工方法およびその床スラブ構造を提供することを主な目的とするものである。
【０００５】
【課題を解決するための手段】
上記目的を達成するために、請求項１記載の床スラブの施工方法の発明は、下面が全面に亘り平坦な基板の上面に、縦横に延びる多数の縦凹溝および横凹溝と、それらの縦、横凹溝により囲まれる多数のリブを有して上面格子状に形成される、全体が合成樹脂の低発泡材よりなる断熱型枠パネルを仮設型枠の床スラブ成形部位に組み付ける工程と、上部鉄筋の一部を削除することで形成されて上面を各々開放した複数の鉄筋削除部を隔設した鉄筋組立体を、前記縦凹溝および横凹溝内にそれぞれ配置し、その際に、それら鉄筋組立体は、その鉄筋削除部を縦、横凹溝の交差部にそれぞれ配置させて、それらの鉄筋組立体を前記交差部で略同じ平面上で交差させるようにした工程と、前記縦凹溝および横凹溝内にそれぞれ配置した鉄筋組立体の上面にスラブ鉄筋を一体に緊結する工程と、前記断熱型枠パネル上にコンクリートを直接打設し、該型枠パネルを鉄筋組立体及びスラブ鉄筋と共にコンクリートと一体化して、該型枠パネルの前記基板で該コンクリートの下面全面が覆われた断熱材一体型の床スラブを成形する工程とを含むことを特徴としており、かかる特徴によれば、配筋、型枠工事を大幅に単純化して、その施工性を高めて、建築コストの大幅な低減を図ることができる。また全体が合成樹脂の低発泡材よりなる断熱型枠パネルは、下面が全面に亘り平坦な基板を有していて、そのまま、コンクリート床スラブの下面全面を覆う断熱、遮音部材として使用できることから、建物の断熱、遮音のための施工コストの低減を図ることができ、さらに断熱パネルは、コンクリート床スラブに複数条の小梁を一体に容易に成形することができて該床スラブ強度を高めることができ、床スラブのスパンを従来のものよりも長く、しかも階高を高くとることができる。
【０００６】
また、前記目的達成のため、本請求項２記載の床スラブの施工方法の発明は、請求項１記載のものにおいて、前記鉄筋組立体はトラス構造に形成され、その鉄筋削除部は、該鉄筋組立体の上部鉄筋の一部を削除することで上面開放のＶ字状に形成されていることを特徴としており、かかる特徴によれば、前記請求項１記載の発明と同じ効果を奏する上に、鉄筋組立体自体の強度を高めることができる。
【０００７】
さらに、前記目的達成のため、本請求項３記載の床スラブの施工方法の発明は、前記請求項１記載のものにおいて、前記鉄筋組立体は、建築現場以外の工場等で予め製作されることを特徴としており、かかる特徴によれば、前記請求項１記載の発明と同じ効果を奏する上に、建築現場での配筋作業時間の一層の短縮化を図ることができる。
【０００８】
さらに、前記目的達成のため、本請求項４記載の床スラブの施工方法の発明は、前記請求項１〜３の何れかに記載のものにおいて、前記交差部の底面には、前記縦、横凹溝内にその底面より浮かせて縦横に敷き込まれる前記鉄筋組立体を該交差部で受けるためのボスを突設し、このボス上に該鉄筋組立体の下部鉄筋を載置させるようにしたことを特徴としている。
【０００９】
さらにまた、前記目的達成のため、本請求項５記載の、床スラブの構造の発明は、全体が合成樹脂の低発泡材よりなり、下面が全面に亘り平坦な基板の上面に縦横に延びる多数の縦凹溝および横凹溝と、それらの縦、横凹溝により囲まれる多数のリブを有して上面格子状に形成される断熱型枠パネルと、上部鉄筋の一部を削除することで形成されて上面を各々開放した複数の鉄筋削除部を所定の間隔をおいて有しており、それらの鉄筋削除部が、前記断熱型枠パネルの、縦、横凹溝の交差部に位置するようにして、該縦、横凹溝内に、略一平面をなすように交差配置される、複数の鉄筋組立体と、前記縦凹溝および横凹溝内にそれぞれ配置した鉄筋組立体の上面に一体に緊結されたスラブ鉄筋と、前記断熱型枠パネル上に直接打設され、該型枠パネル、スラブ鉄筋および鉄筋組立体と一体化して断熱材一体型の床スラブを成形するコンクリートとを備え、そのコンクリートの下面全面が前記断熱型枠パネルの前記基板で覆われることを特徴としており、かかる特徴によれば、コンクリート型枠の床スラブ成形部分の構造、組付を簡素化し、その結果コンクリート型枠工事のコストダウンに寄与することができ、しかも全体が合成樹脂の低発泡材よりなる断熱型枠パネルは、下面が全面に亘り平坦な基板を有していて、そのまま、コンクリート床スラブの下面全面を覆う断熱、遮音部材として兼用できることから、建物の断熱、遮音性能を向上させることができ、さらに断熱パネルは、コンクリート床スラブに複数条の小梁を一体に形成することができて、該床スラブの強度を高めることができ、該方向の床スラブのスパンを従来のものよりも長くとることができ、しかも階高の高い品質の優れた建物を低コストで提供することができる。
【００１０】
【発明の実施の形態】
以下、本発明の実施の形態を、添付図面に示した本発明の実施例に基づいて説明する。  図１は、本発明床スラブを備えたコンクリート躯体の一部破断斜視図、図２は、図１の２矢視平面図、図３は、図２の３−３線に沿う断面図、図４は、断熱パネルの斜視図、図５は、鉄筋組立体の側面図および平面図、図６は、図２の６矢視仮想線囲い部分の拡大図、図７は、図６の７−７線に沿う断面図、図８は、図６の８−８線に沿う断面図、図９は、図２の９−９線に沿う拡大断面図、図１０は、コンクリート床スラブの施工順序を示す図である。
【００１１】
コンクリート躯体Ｆの水平躯体部分を構成する床スラブＳｆは、断熱材よりなる型枠パネルＰｆと、この型枠パネルＰｆの縦、横の凹溝２，３に敷き込まれる、本発明に従う鉄筋組立体Ｒａと、この鉄筋組立体Ｒａに結線されるスラブ鉄筋Ｒｓと、前記型枠パネルＰｆに打設されるコンクリートＣｏとより構成されている。
【００１２】
前記型枠パネルＰｆは、所定寸法にモジュール化された複数の型枠ユニットＵｆを一平面上の縦横に一体結合して構成される。各型枠ユニットＵｆは、工場などで合成樹脂材、たとえばポリスチレンの低発泡成形材により一体に成形される。
【００１３】
複数の型枠ユニットＵｆの結合により構成される型枠パネルＰｆは、図１，４に示すように、四角な基板１の上面に、縦横に交差する複数の縦凹溝２および横凹溝３と、それらの縦、横凹溝２，３によって囲まれる台形状の複数のリブ４が形成されると共にそれらのリブ４の、４つのコーナー部により囲まれる、前記縦凹溝２と横凹溝３との交差部５は、該縦凹溝２と横凹溝３とを連通する連通溝５となっている。この交差部５の底面には、後述する鉄筋組立体Ｒａを受けるボス６が突設されている。そして、全体として、型枠パネルＰｆの上面は格子状に形成されている。
【００１４】
モジュール化された各型枠ユニットＵｆは、図４，７に示すように、一対の長方形状のユニット半体Ｕｆ−ｈを一体に結合して構成される。具体的には、ユニット半体Ｕｆ−ｈは、基板１上に縦凹溝２と横凹溝３とで囲まれる３つのリブ４およびこれらと並列する３つの半リブ４ｈとを有して長方形状に形成されており、型枠ユニットＵｆは、一対の長方形状のユニット半体Ｕｆ−ｈの、半リブ４ｈ側の端面同志を緊結具７により一体に結合して四角形状に形成される。前記緊結具７は、「かすがい」状に形成されていて、その両端の下縁には、断面レ状の差込尖端が形成されている。そしてこの緊結具７を用いて一対のユニット半体Ｕｆ−ｈを結合するには、リブ半体４ｈの互いに衝合される部分の上面に前記緊結具７を跨がらせて、その一対の差込尖端を、リブ４に差し込めば、それらを一体に結合することができる。このとき、前記型枠ユニットＵｆは、低発泡のポリスチレンで形成されていて軟質であるので、前記差込尖端のリブ４への差し込み連結を容易に行うことができる。そして、型枠パネルＰｆは、縦横に一平面上に並列されて互いに隣接する型枠ユニットＵｆの基板１の端縁同志を連結ピン８により一体に結合して構成される。
【００１５】
なお、型枠ユニットＵｆを構成する、一対のユニット半体Ｕｆ−ｈは半リブ４ｈを削除して、基板１上の３つのリブ４だけで形成してもよい。この場合には、型枠ユニットＵｆ同志を結合するのに、前記緊結具７が不要になる。
【００１６】
次に、前記型枠パネルＰｆの縦凹溝２および横凹溝３内に、それらの上方からそれぞれ敷き込まれる、本発明に従う鉄筋組立体Ｒａの構成について説明すると、この鉄筋組立体Ｒａは、図５（ａ）、（ｂ）に示すように、側面視トラス構造に構成されており、その長手方向に所定の間隔をあけて上面開放のＶ字状鉄筋削除部１０が形成されている。具体的には、この鉄筋組立体Ｒａは上下方向にコルゲート状に屈曲形成される中間部鉄筋１２と、この中間部鉄筋１２の複数（３つ）の山部に所定の間隔（相隣り合う山間の間隔）をあけてそれぞれ溶接結合される複数本の直線状の上部鉄筋１３と、前記中間部鉄筋１２の複数の谷部に溶接結合される直線状の一本の下部鉄筋１４とより構成され、中間部鉄筋１２は、その両端末が、その谷部のところで切断されて、鉄筋組立体Ｒａの連結端部１５を形成している。一方、下部鉄筋１４は、その一方の端末（図５右端）が、中間部鉄筋１２との溶接結合部よりも外方に直線状に延長されて連結延長部１６を形成している。そして、その連結延長部１６上に、他の鉄筋組立体Ｒａの、中間部鉄筋１２の連結端部１５を重ね合わせて、それらを結束線１７により緊結すれば、複数の鉄筋組立体Ｒａを直列に連結することができる（図５，９参照）。
【００１７】
型枠パネルＰｆの複数の縦、横凹溝２，３内にそれぞれ敷き込まれる鉄筋組立体Ｒａの上面には、スラブ鉄筋Ｒｓが一体に緊結される。このスラブ鉄筋Ｒｓは、縦、横鉄筋を縦横に編成して網条に構成される（図１参照）。
【００１８】
次に、前述のように構成される、型枠パネルＰｆを、仮設されるコンクリート型枠Ｆｃに組み込む場合について説明すると、図１０に示すように、住空間Ｌをあけて組み付けられる左右の壁型枠２０は、コンクリート打設空間をあけて対峙される内、外側壁型枠２０ｉ，２０ｏを備えており、そのうち内側壁型枠２０ｉの上縁間には、型枠パネルＰｆが、橋渡されて組み付けられ、また、外側壁型枠２０ｏの上端は、内側壁型枠２０ｉのそれよりも上方に延びていて打設されるコンクリートの堰板を形成する。
【００１９】
型枠パネルＰｆは、住空間Ｌの床面積に合致するように、複数の型枠ユニットＵｆを、前述したように一平面上に一体に接続して、図１０（ａ）に示すように、コンクリート型枠Ｆｃの床スラブ形成部位に組み付けられる。型枠パネルＰｆの平坦な下面（天井面）は、バタ材２２を介して複数のパイプサポート２３により支持される。
【００２０】
型枠パネルＰｆの上面には、配筋に倣って本発明にかかる前記鉄筋組立体Ｒａおよびスラブ鉄筋Ｒｓが組み付けられる。すなわち、建築現場以外の、工場等で作られた一方の鉄筋組立体Ｒａを、先ず、型枠パネルＰｆ上面の複数の縦凹溝２（あるいは横凹溝３）に敷き込む。この実施例では、図１０（ｂ）に示すように、２本の鉄筋組立体Ｒａは直列され、それらの連結端部１５と、連結延長部１６とは、前述した要領にて相互に重合されて結束線１７により緊結される。また、鉄筋組立体Ｒａに隔設されるＶ字状の鉄筋削除部１０は縦、横凹溝２，３の交差部５においてボス６上に配置させる。
【００２１】
なお、図１０（ｂ）に示すように、床スラブＳｆのスパンより外方に突出する、鉄筋組立体Ｒａの不要な連結延長部１６は、切り落として取り除く。
【００２２】
つぎに、同じく工場等で作られた他方の鉄筋組立体Ｒａを前記一方の鉄筋組立体Ｒａと同じ要領にて複数の横凹溝３（あるいは縦凹溝２）に敷き込む。そして、この他方の鉄筋組立体ＲａのＶ字状鉄筋削除部１０を縦、横凹溝２，３の交差部５に配置する。したがって一方および他方の鉄筋組立体Ｒａ，Ｒａを、型枠パネルＰｆの縦、横凹溝２，３に縦横に敷き込んだ状態では、図６，図１０（ｃ）に示すように、それらのＶ字状鉄筋削除部１０は互いに交差させて縦、横凹溝３の交差部５に略同じ一平面上に配置させることができ、一方および他方の鉄筋組立体Ｒａ，Ｒａの、前記型枠パネルＰｆの縦、横凹溝２，３への配筋作業がきわめて容易になる。
【００２３】
次に、型枠パネルＰｆの縦、横凹溝２，３に配筋された、一方および他方の鉄筋組立体Ｒａ，Ｒａ上には、網状のスラブ鉄筋Ｒｓが重ね合わされ、それらは結束線１７により一体に緊結される。
【００２４】
以上のように、型枠パネルＰｆ上への鉄筋組立体Ｒａおよびスラブ鉄筋Ｒｓの配筋が終了したら、図１０（ｃ）に示すように、型枠パネルＰｆ上にコンクリートＣｏが打設され、そのコンクリートＣｏは、型枠パネルＰｆと配筋間に充填され、その上面は通常の均し作業により平坦に均される。そして、コンクリートＣｏが硬化して、その強度と養生とが十分に確認されたら、仮設のコンクリート型枠Ｆｃの解体工事が行われる。すなわち、バタ材２２、パイプサポート２３および壁型枠２０が解体されるが、型枠パネルＰｆはコンクリートＣｏと一体に結合されて、そのまま床スラブＳｆの断熱、遮音部材として恒久的に使用される。
【００２５】
しかして、以上のように成形されるコンクリート床スラブＳｆには、型枠パネルＰｆの複数のリブ４によって複数条の小梁を一体に容易に形成して、その強度が一層高められ、これにより柱、中間壁、大梁のない、長いスパンの住空間Ｌを形成することができ、しかも大梁を有しないことから有効階高を高くとることができる。
【００２６】
以上のように、前記実施例のものは、建物を構築するにあたり、下記の利点を有する。(1) コンクリート躯体を成形するにあたり、仮設コンクリート型枠Ｆｃ、特に床スラブ型枠の構造が簡単になり、該型枠の施工コストの大幅なコストダウンが可能になる。
(2) 型枠パネルＰｆおよび鉄筋組立体Ｒａは、建築現場以外の工場などで製造されるので、建築工期の短縮化が可能である。
(3) 型枠パネルＰｆは、コンクリート型枠Ｆｃの一部でありながら、そのまま建物の床部分の断熱、遮音部材として使用されることから、コンクリート型枠の構造が簡単になり、その解体も容易になる。さらに別途に床部分の断熱、遮音部材が不要になり、しかも断熱、遮音機能の優れた建物を提供できる。
(4) 型枠パネルＰｆは、ポリスチレンなどの合成樹脂の発泡体により形成されることにより、きわめて軽量であって、加工し易く、取り扱いが容易であり、かつ建物自体の軽量化が可能である。
(5) 型枠パネルＰｆを組み付けるにあたり、緊結具７と連結ピン８で行うことができ、溶接などの専門作業が不要である。
(6) 型枠パネルＰｆは、コンクリート床スラブＳｆの複数条の小梁を一体に形成することができて、その強度を高めることができ、これにより床スラブＳｆのスパンを従来のものよりも長くとることができ、枠組壁工法による建物の床スラブＳｆとして好適である。
【００２７】
以上、本発明の実施例について説明したが、本発明はその実施例に限定されることなく、本発明の範囲内で種々の実施例が可能である。
【００２８】
たとえば、前記実施例では、型枠パネルは、ポリスチレンの低発泡材により形成されるが、これを他の同効の合成樹脂材により形成してもよい。また前記実施例では、鉄筋組立体をトラス構造に形成されるが、これを他の構造に形成してもよく、また鉄筋削除部は、Ｖ字状の外、Ｕ字状その他の形状に形成してもよい。
【００２９】
【発明の効果】
以上のように、本請求項１記載の発明によれば、床スラブの施工方法において、配筋、型枠工事を大幅に単純化して、その施工性を高めることができ、建築コストの大幅な低減を図ることができる。また全体が合成樹脂の低発泡材よりなる断熱型枠パネルは、下面が全面に亘り平坦な基板を有していて、そのまま、コンクリート床スラブの下面全面を覆う断熱、遮音部材として使用できることから、建物の断熱、遮音のための施工コストの低減を図ることができ、さらに断熱型枠パネルは、コンクリート床スラブに複数条の梁を一体に容易に成形することができて、該床スラブ強度を高めることができ、床スラブのスパンを従来のものよりも長く、しかも階高を高くとることができる。
【００３０】
また、本請求項２記載の発明によれば、床スラブの施工方法において、前記請求項１記載の発明と同じ効果を奏する上に、鉄筋組立体自体の強度を高めることができる。
【００３１】
さらに、本請求項３記載の発明によれば、床スラブの施工方法において、前記請求項１記載の発明と同じ効果を奏する上に、建築現場での配筋作業時間の一層の短縮化を図ることができる。
【００３２】
さらに、本請求項４記載の発明によれば、前記基板上面の縦，横凹溝の交差部の底面には、該縦、横凹溝内にその底面から浮かせて縦横に敷き込まれる鉄筋組立体を該交差部で受けるためのボスを突設し、このボス上に該鉄筋組立体を載置させることができる。
【００３３】
さらにまた、本請求項５記載の発明によれば、床スラブの構造において、コンクリート型枠の床スラブ成形部分の構造、組付を簡素化し、その結果コンクリート型枠工事のコストダウンに寄与することができ、しかも全体が合成樹脂の低発泡材よりなる断熱型枠パネルは、下面が全面に亘り平坦な基板を有していて、そのまま、コンクリート床スラブの下面全面を覆う断熱、遮音部材として兼用できることから、建物の断熱、遮音性能を向上させることができ、さらに断熱型枠パネルは、コンクリート床スラブに複数条の小梁を一体に形成できて、該床スラブの強度を高めることができ、該方向の床スラブのスパンを従来のものよりも長くとることができ、しかも階高の高い品質の優れた建物を低コストで提供することができる。
【図面の簡単な説明】
【図１】本発明床スラブを備えたコンクリート躯体の一部破断斜視図
【図２】図１の２矢視平面図
【図３】図２の３−３線に沿う断面図
【図４】断熱パネルの斜視図
【図５】鉄筋組立体の側面図および平面図
【図６】図２の６矢視仮想線囲い部分の拡大図
【図７】図６の７−７線に沿う断面図
【図８】図６の８−８線に沿う断面図
【図９】図２の９−９線に沿う拡大断面図
【図１０】コンクリート床スラブの施工順序を示す図
【符号の説明】
２・・・・・縦凹溝
３・・・・・横凹溝
４・・・・・リブ
１０・・・・鉄筋削除部
１３・・・・上部鉄筋
１４・・・・下部鉄筋
Ｃｏ・・・・コンクリート
Ｆｃ・・・・仮設型枠（コンクリート型枠）
Ｐｆ・・・・型枠パネル
Ｒａ・・・・鉄筋組立体
Ｒｓ・・・・スラブ鉄筋
【図１】
0003626705.tif 000002
【図２】
0003626705.tif 000003
【図３】
0003626705.tif 000004
【図４】
0003626705.tif 000005
【図５】
0003626705.tif 000006
【図６】
0003626705.tif 000007
【図７】
0003626705.tif 000008
【図８】
0003626705.tif 000009
【図９】
0003626705.tif 000010
【図１０】
0003626705.tif 000011